(57)【要約】【課題】  大きな曲げモーメント又は捻りモーメントが発生することを抑制可能な天窓装置の一例を開示する。【解決手段】  駆動アーム９１の揺動時に当該駆動アーム９１から力を受ける受圧部１１であって、可動枠５のうち当該可動枠５の変位方向と交差する面に設けられた受圧部１１を備える。これにより、可動枠５の変位方向と直交する方向において、力点と作用点との距離が小さくなり得る。したがって、力点と作用点とが離間していることを起因として発生する曲げモーメント又は捻りモーメントが小さくなり得る。【選択図】  図４
0003213492.tif 000002
【実用新案登録請求の範囲】
【請求項１】
建物に対して固定された固定枠、及び当該固定枠に対して変位可能な可動枠を備える天窓装置において、
前記可動枠を変位させるための駆動アームであって、一端側が前記固定枠及び前記可動枠のうちいずれか一方の枠に揺動可能に連結され、他端側が他方の枠に対して平行移動可能に連結された駆動アームと、
前記駆動アームの揺動時に当該駆動アームから力を受ける受圧部であって、前記「他方の枠」のうち前記可動枠の変位方向と交差する面に設けられた受圧部と
を備える天窓装置。
【請求項２】
前記駆動アームには、前記受圧部に設けられた受圧面と転がり接触するローラが設けられており、
前記受圧面は、前記可動枠の変位方向と直交している請求項１に記載の天窓装置。
【請求項３】
前記ローラの回転中心軸線は、前記駆動アームの揺動中心軸線と平行であり、
前記回転中心軸線と同軸上に設けられた第２のローラであって、前記駆動アームを挟んで前記ローラと反対側に設けられた第２のローラを備える請求項２に記載の天窓装置。
【請求項４】
前記ローラを挟んで前記駆動アームと反対側において、当該ローラから離間した位置に設けられた第１規制壁と、
前記第２のローラを挟んで前記駆動アームと反対側において、当該第２のローラから離間した位置に設けられた第２規制壁と
を備える請求項３に記載の天窓装置。
【請求項５】
前記可動枠を平行変位させるためのガイドアームであって、一端側が前記固定枠及び前記可動枠のうちいずれか一方の枠に揺動可能に連結され、他端側が他方の枠に対してスライド可能なガイドアームを備え、
前記可動枠が変位する方向を変位方向としたとき、前記ローラは、前記ガイドアームに対して前記変位方向にずれた位置にある請求項２ないし４のいずれか１項に記載の天窓装置。
【考案の詳細な説明】
【技術分野】
【０００１】
本願は、建物に対して固定された固定枠、及び当該固定枠に対して変位可能な可動枠を備える天窓装置に関する。
【背景技術】
【０００２】
例えば、特許文献１に記載の天窓装置では、駆動アームを揺動させて可動枠を昇降変位させている。駆動アームの下端側は、固定枠に揺動可能に連結されている。駆動アームの上端側は、可動枠の側面に平行移動（スライド）可能に連結されている。可動枠の側面は、当該可動枠の変位方向（特許文献１では、上下方向）と平行な面である。
【先行技術文献】
【特許文献】
【０００３】
【特許文献１】特開２０００−２４０２２９号公報
【考案の概要】
【考案が解決しようとする課題】
【０００４】
特許文献１では、駆動アームの上端側が可動枠の側面に連結されているので、可動枠の変位方向と直交する方向（特許文献１では、水平方向）において、力点と作用点とが大きく離間した構成とならざるを得ない。
【０００５】
このため、力点と作用点とを繋ぐ部材（特許文献１では、ローラ用のシャフト）に、大きな曲げモーメント又は捻りモーメントが作用する可能性がある。なお、力点とは、駆動アームが揺動する際に直接的に力を及ぼす箇所である。作用点とは、可動枠のうち当該可動枠を変位させる力が直接的に作用する箇所をいう。
【０００６】
本願は、上記点に鑑み、大きな曲げモーメント又は捻りモーメントが発生することを抑制可能な天窓装置の一例を開示する。
【課題を解決するための手段】
【０００７】
天窓装置は、可動枠（５）を変位させるための駆動アーム（９１）であって、一端側が固定枠（３）及び可動枠（５）のうちいずれか一方の枠（３）に揺動可能に連結され、他端側が他方の枠（５）に対して平行移動可能に連結された駆動アーム（９１）と、駆動アーム（９１）の揺動時に当該駆動アーム（９１）から力を受ける受圧部（１１）であって、「他方の枠（５）」のうち可動枠（５）の変位方向と交差する面に設けられた受圧部（１１）とを備えることが望ましい。
【０００８】
そして、「他方の枠（５）」のうち可動枠（５）の変位方向と交差する面に受圧部（１１）が設けられているので、可動枠（５）の変位方向と直交する方向において、力点と作用点との距離が特許文献１に比べて小さくなり得る。したがって、力点と作用点とが離間していることを起因として発生する曲げモーメント又は捻りモーメントが小さくなり得る。
【０００９】
因みに、上記各括弧内の符号は、後述する実施形態に記載の具体的構成等との対応関係を示す一例であり、本考案は上記括弧内の符号に示された具体的構成等に限定されるもではない。
【図面の簡単な説明】
【００１０】
【図１】本考案の実施形態に係る天窓装置の外観を示す図である。
【図２】本考案の実施形態に係る天窓装置が閉じた状態を示す図である。
【図３】本考案の実施形態に係る天窓装置が開いた状態を示す図である。
【図４】本考案の実施形態に係る天窓装置が特徴構造を示す図である。
【考案を実施するための形態】
【００１１】
以下に説明する「考案の実施形態」は、本願考案の技術的範囲に属する実施形態の一例を示すものである。つまり、実用新案登録請求の範囲に記載された考案特定事項等は、下記の実施形態に示された具体的構成や構造等に限定されるものではない。
【００１２】
以下、本考案の実施形態を図面と共に説明する。なお、各図に付された方向を示す矢印等は、各図相互の関係を理解し易くするために記載したものである。本考案は、各図に付された方向に限定されるものではない。
【００１３】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１４】
（第１実施形態）
１．天窓装置の概要
天窓装置１は、図１に示すように、固定枠３、可動枠５及び可動機構７等を少なくとも備える。固定枠３は建物（図示せず。）に固定される枠体である。当該固定枠３は、開口部３Ａを有するとともに、当該開口部３Ａの外縁枠を構成する。なお、本実施形態に係る固定枠３は、アルミニウム等の軽金属にて構成された矩形枠状又は円形枠状に構成され、かつ、建築物の屋根等に固定される。
【００１５】
可動枠５は、固定枠３に対して変位することにより開口部３Ａを開閉する。可動枠５が固定枠３と密着した位置（以下、閉ポジションという。）にあるときは、開口部３Ａは閉じた状態となる（図２参照）。
【００１６】
可動枠５が固定枠３から離間した位置（以下、開ポジションという。）にあるときは、開口部３Ａは開いた状態となる（図３参照）。なお、本実施形態に係る可動枠５は、固定枠３より上方側に配置され、かつ、固定枠３に対して上下方向（鉛直方向）に変位する。
【００１７】
なお、可動枠５は、図１に示すように、固定枠３と同一形状（本実施形態では、矩形状）の枠体にて構成されている。可動枠５により構成される開口部５Ａは、ガラス等の透光性を有する部材（図示せず。）により閉塞されている。
【００１８】
２．可動機構
可動機構７は、可動枠５を固定枠３に対して変位させる機構である。当該可動機構７は、図１に示すように、２組のリンク機構９及び操作部（図示せず。）等を少なくとも有している。
【００１９】
＜リンク機構＞
２組のリンク機構９のうち第１のリンク機構９（紙面手前側のリンク機構９）と２組のリンク機構９のうち第２のリンク機構９（紙面奥前側のリンク機構９）とは、同一構造であって、かつ、同期して同一タイミングで作動する。以下、第１のリンク機構９を例に本実施形態に係るリンク機構９を説明する。
【００２０】
リンク機構９は、駆動アーム９１及びガイドアーム９２等を少なくとも有するＸリンク機構により構成されている。駆動アーム９１は、その長手方向一端側が固定枠３に揺動可能に組み付けられている。
【００２１】
駆動アーム９１の長手方向他端側は、可動枠５に揺動可能に連結され、かつ、その連結箇所は、可動枠５の移動方向（本実施形態では、上下方向）と直交する方向に移動可能となっている。
【００２２】
つまり、駆動アーム９１の下端側は、連結中心位置が固定枠３に対して不動な状態で当該固定枠３に揺動可能に連結されている。駆動アーム９１の上端側は、連結中心が可動枠５に対して平行移動可能な状態で当該可動枠５に揺動可能に連結されている。
【００２３】
固定枠３には、駆動アーム９１を揺動させる弾性力を駆動アーム９１に作用させるばね（図示せず。）が設けられている。当該ばねは、駆動アーム９１の長手方向他端側を開ポジション側から閉ポジション側に揺動するときに弾性変形量が増大する。
【００２４】
このため、上記ばねは、駆動アーム９１の長手方向他端側を開ポジション側に揺動させる弾性力を発揮する。なお、本実施形態に係るばねは、棒状に形成された弾性体のねじり変形を利用したトーションバーである。
【００２５】
駆動アーム９１には、ワイヤー（図示せず。）が連結されている。当該ワイヤーは、駆動アーム９１の長手方向他端側を閉ポジション側に揺動させる力を当該駆動アーム９１に作用させる。
【００２６】
ワイヤーは、上記操作部内に収納された巻取ドラム（図示せず。）に巻き取られる際に、上記力を駆動アーム９１に作用させる。巻取ドラムのロック装置（図示せず。）が解除され、当該巻取ドラムが回転可能状態になると、上記ばねの弾性力により駆動アーム９１が開ポジション側に揺動する。
【００２７】
ガイドアーム９２の長手方向一端側（本実施形態では、上端側）は、可動枠５に揺動可能に連結されている。ガイドアーム９２の長手方向他端側（本実施形態では、下端側）は、固定枠３に揺動可能に連結され、かつ、その連結箇所は、可動枠５の移動方向と直交する方向に移動可能となっている。
【００２８】
駆動アーム９１とガイドアーム９２とは、互いに長手方向中間部が揺動可能に連結されている。ガイドアーム９２は、図４に示すように、駆動アーム９１の外側に配置されている。駆動アーム９１の外側とは、当該駆動アーム９１を挟んで開口部３Ａ、５Ａと反対側をいう。
【００２９】
＜駆動アームと可動枠との連結構造の詳細（図４参照）＞
可動枠５のうち可動枠５の変位方向と交差する面には、受圧部１１が設けられている。「可動枠５のうち可動枠５の変位方向と交差する面」とは、可動枠５のうち固定枠３と対向する部位をいう。具体的には、可動枠５のうち下方側に面した部位である。
【００３０】
受圧部１１は、駆動アーム９１の揺動時に当該駆動アーム９１から力を受ける部位である。つまり、受圧部１１は、駆動アーム９１が閉ポジション側から開ポジション側に揺動する際に、可動枠５を固定枠３から離間変位させるための力を当該駆動アーム９１から受ける。
【００３１】
本実施形態に係る受圧部１１はガイドレール機能を有する。当該ガイドレール機能は、駆動アーム９１の上端が平行移動するに、当該平行移動を案内する機能である。具体的には、受圧部１１には、当該平行移動の方向に延びる第１レール面１１Ａ及び第２レール面１１Ｂが設けられている。
【００３２】
第１レール面１１Ａは第１ローラ１３Ａと転がり接触する受圧面である。第２レール面１１Ｂは第２ローラ１３Ｂと転がり接触する受圧面である。第１ローラ１３Ａ及び第２ローラ１３Ｂは、駆動アーム９１の長手方向一端側、つまり駆動アーム９１の上端側に設けられた転動体である。
【００３３】
第１ローラ１３Ａの回転中心軸線Ｌ１は、第２ローラ１３Ｂの回転中心軸線と一致する。つまり、第１ローラ１３Ａと第２ローラ１３Ｂとは、回転中心軸線Ｌ１上に設けられている。
【００３４】
回転中心軸線Ｌ１は、駆動アーム９１の揺動中心軸線Ｌｏと平行である。このため、可動枠５の変位方向は、回転中心軸線Ｌ１と直交する。つまり、第１レール面１１Ａ及び第２レール面１１Ｂは、可動枠５の変位方向と直交する面である。
【００３５】
第２ローラ１３Ｂは、回転中心軸線Ｌ１と平行な方向において、駆動アーム９１を挟んで第１ローラ１３Ａと反対側に配置されている。具体的には、第１ローラ１３Ａと第２ローラ１３Ｂとは同一のローラであって、第１ローラ１３Ａと第２ローラ１３Ｂとは駆動アーム９１の中心線Ｌ２に対して対称の位置に配置されている。
【００３６】
したがって、第１ローラ１３Ａの面圧中心線Ｌ３から中心線Ｌ２までの距離Ｗ１は、第２ローラ１３Ｂの面圧中心線Ｌ４から中心線Ｌ２までの距離Ｗ２と同一である。面圧中心線とは、接触面圧の面積モーメントが釣り合う位置である。
【００３７】
ガイドアーム９２は、回転中心軸線Ｌ１と平行な方向において、駆動アーム９１に対して第１ローラ１３Ａと同一側に位置する。つまり、可動枠５が変位する方向（本実施形態では、上下方向）を変位方向としたとき、第１ローラ１３Ａは、ガイドアーム９２に対して変位方向にずれた位置にある。
【００３８】
ガイドレールを構成する受圧部１１には、第１規制壁１５Ａ及び第２規制壁１５Ｂが設けられている。第１規制壁１５Ａは、回転中心軸線Ｌ１と平行な方向において、第１ローラ１３Ａを挟んで駆動アーム９１と反対側に設けられている。
【００３９】
第２規制壁１５Ｂは、回転中心軸線Ｌ１と平行な方向において、第２ローラ１３Ｂを挟んで駆動アーム９１と反対側に設けられている。第１規制壁１５Ａと第１ローラ１３Ａとの間には空隙部１５Ｃが設けられている。
【００４０】
第２規制壁１５Ｂと第２ローラ１３Ｂとの間には空隙部１５Ｄが設けられている。なお、第１規制壁１５Ａ、第２規制壁１５Ｂ、並びに第１レール面１１Ａ及び第２レール面１１Ｂを構成する部材は、アルミニウム等の軽金属にて一体成形（押し出し成形又は引き抜き成形）された一体成形品である。
【００４１】
３．本実施形態に係る天窓装置の特徴
天窓装置１は、駆動アーム９１の揺動時に当該駆動アーム９１から力を受ける受圧部１１であって、可動枠５のうち当該可動枠５の変位方向と交差する面に設けられた受圧部１１を備える。
【００４２】
これにより、可動枠５の変位方向と直交する方向において、力点と作用点との距離が特許文献１に比べて小さくなり得る。したがって、力点と作用点とが離間していることを起因として発生する曲げモーメント又は捻りモーメントが小さくなり得る。
【００４３】
駆動アーム９１には、第１レール面１１Ａ及び第２レール面１１Ｂと転がり接触する第１ローラ１３Ａ及び第２ローラ１３Ｂが設けられている。第１レール面１１Ａ及び第２レール面１１Ｂは、可動枠５の変位方向と直交している。これにより、力点と作用点との離間距離が小さくなるので、曲げモーメント又は捻りモーメントが小さくなり得る。
【００４４】
回転中心軸線Ｌ１において、駆動アーム９１の一方側に第１ローラ１３Ａが配置され、他方側に第２ローラ１３Ｂが配置されている。これにより、力点と作用点との離間距離が理論上、「０」となるので、理論上、曲げモーメント又は捻りモーメントが発生しなくなり得る。
【００４５】
第１ローラ１３Ａから離間した位置に設けられた第１規制壁１５Ａ、及び第２ローラ１３Ｂから離間した位置に設けられた第２規制壁１５Ｂを備える。これにより、各部品の寸法が公差範囲内で変動した場合であっても、第１ローラ１３Ａ及び第２ローラ１３Ｂそれぞれを確実に第１レール面１１Ａ及び第２レール面１１Ｂと転がり接触させることが可能となり得る。
【００４６】
第１ローラ１３Ａは、ガイドアーム９２に対して可動枠５の変位方向にずれている。これにより、駆動アーム９１の他端側のうち回転中心軸線Ｌ１と平行な部位の寸法が大型化してしまうことが抑制され得る。
【００４７】
（その他の実施形態）
上述の実施形態に係る可動枠５は、上下方向に変位するものであった。しかし、本願明細書に開示された考案はこれに限定されるものではない。すなわち、例えば、水平方向に変位する可動枠５であってもよい。
【００４８】
上述の実施形態に係る駆動アーム９１は、下端側が固定枠３に連結され、上端側が可動枠５に連結された構成であった。しかし、本願明細書に開示された考案はこれに限定されるものではない。すなわち、例えば、当該駆動アーム９１は、上端側が固定枠３に連結され、下端側が可動枠５に連結された構成であってもよい。
【００４９】
上述の実施形態に係る天窓装置１は、第１レール面１１Ａ及び第２レール面１１Ｂを有し、かつ、第１ローラ１３Ａ及び第２ローラ１３Ｂを有していた。しかし、本願明細書に開示された考案はこれに限定されるものではない。
【００５０】
すなわち、当該天窓装置１は、例えば、第１ローラ１３Ａ及び第１レール面１１Ａを有し、第２ローラ１３Ｂ及び第２レール面１１Ｂを有していない構成であってもよい。なお、当該天窓装置１においては、第１ローラ１３Ａが駆動アーム９１の側面ではなく、駆動アーム９１の端部に設けられていることが望ましい。
【００５１】
上述の実施形態に係る天窓装置は、第１ローラ１３Ａから離間した位置に設けられた第１規制壁１５Ａ、及び第２ローラ１３Ｂから離間した位置に設けられた第２規制壁１５Ｂを備えていた。
【００５２】
しかし、本願明細書に開示された考案はこれに限定されるものではない。すなわち、例えば、当該天窓装置１は、第１規制壁１５Ａ及び第２規制壁１５Ｂのうち少なくとも一方を備えていない構成であってもよい。
【００５３】
上述の実施形態に係る天窓装置１は、ガイドアーム９２を備えていた。しかし、本願明細書に開示された考案はこれに限定されるものではない。すなわち、当該天窓装置１は、例えば、ガイドアーム９２を備えていなくてもよい。
【００５４】
上述の実施形態では、第１ローラ１３Ａがガイドアーム９２に対して可動枠５の変位方向にずれていた。しかし、本願明細書に開示された考案はこれに限定されるものではない。
【００５５】
さらに、本考案は、実用新案登録請求の範囲に記載された考案の趣旨に合致するものであればよく、上述の実施形態に限定されるものではない。したがって、上述した複数の実施形態のうち少なくとも２つの実施形態を組み合わせてもよい。
【符号の説明】
【００５６】
１… 天窓装置  ３… 固定枠  ５… 可動枠  ７… 可動機構
９… リンク機構  １１… 受圧部  １１Ａ… 第１レール面
１１Ｂ… 第２レール面  １３Ａ… 第１ローラ  １３Ｂ… 第２ローラ
１５Ａ… 第１規制壁  １５Ｂ… 第２規制壁  ９１… 駆動アーム
９２… ガイドアーム
【図１】
0003213492.tif 000003
【図２】
0003213492.tif 000004
【図３】
0003213492.tif 000005
【図４】
0003213492.tif 000006